(57)【特許請求の範囲】
【請求項１】
横置きの円筒状のケーシングの軸心部に撹拌軸を回動自在に支持し、この撹拌軸の軸心と略垂直で対称な位置に前記ケーシングの内壁円周方向に延びるアームを立設し、このアームの先端に前記撹拌軸に対し傾斜面を有する平板状撹拌羽根と、第１の辺が前記平板状撹拌羽根と反対方向の傾斜面を有し、第２の辺が前記平板状撹拌羽根と同一の傾斜面を有し、第３の辺が撹拌軸に対し垂直面をそれぞれ有する三角状撹拌羽根とを取り付け、前記対称位置の平板状撹拌羽根と三角状撹拌羽根とを略９０度円周方向にずらした状態で所定の間隔で軸方向へ配設し、かつ前記平板状撹拌羽根の傾斜面及び三角状撹拌羽根の第２の辺の傾斜面は、内容物の排出口に最も近い撹拌軸の部位から左右の方向へ、それぞれ反対の傾斜をなして、撹拌時と逆方向に回転した時に内容物を排出口方向に押し出すように配設されていることを特徴とする横型撹拌機。
【請求項２】
内容物の排出口に最も近い撹拌軸の部位が撹拌軸の端部となる場合は、前記平板状撹拌羽根の傾斜面及び三角状撹拌羽根の第２の辺の傾斜面は、撹拌軸の一方端から他方端へ同一方向の傾斜をなして配設されていることを特徴とする請求項１記載の横型撹拌機。
【請求項３】
前記撹拌軸、平板状撹拌羽根及び三角状撹拌羽根のアームは主軸を介して内部に熱媒体が供給可能に構成されていることを特徴とする請求項１記載の横型撹拌機。
【発明の詳細な説明】
【０００１】
【発明の属する技術分野】
本発明は、横型容器内の内容物を撹拌する撹拌機、例えば、ペレット状、泥状、粉体等の湿原料を撹拌乾燥する乾燥機に用いる横型撹拌機に関する。
【０００２】
【従来の技術】
本出願人は先に特願平６−３０８２２号（特開平７−２１８１３９号）として図４〜図６に示す横型撹拌機を提案した。
図４において１は横置きの円筒状のケーシング、２はこのケーシング１の軸心部に設けられた撹拌軸で、円筒状のケーシング１や他のフレームに両端が支持され、図示しないモータに接続されて正逆回転するようにになっていた。
図において、３は撹拌軸２に対して傾斜面３ａを有する平板状撹拌羽根、４はこの平板状撹拌羽根３と反対方向の傾斜面４ａを有すると共に、撹拌軸２に対する平行面４ｂと垂直面４ｃとを有し、傾斜面４ａを第１の辺、平行面４ｂを第２の辺、垂直面４ｃを第３の辺として３つの辺で三角形を形成する三角状撹拌羽根である。
【０００３】
そして、平板状撹拌羽根３と三角状撹拌羽根４とは、撹拌軸２の軸心と略垂直で対称な位置にケーシング１の内壁円周方向に延びる一対のアームが立設され、先端には撹拌軸２に対し略４５度で平板状撹拌羽根３の傾斜面３ａが取り付けられ、三角状撹拌羽根４が傾斜面４ａを傾斜面３ａと反対方向の略４５度の角度で取り付けられていた。
【０００４】
図５及び図６は図４の（ａ）の撹拌羽根の取付位置を示す展開図で、図５における実線の矢印Ｘは撹拌時（ケーシング１はジャケットになっており熱媒体が通っている）の回転方向を示し、図６における破線の矢印Ｙは排出時の回転方向を示し、排出時には図６に破線の矢印Ａで示すようにケーシング１の略中央の下部の排出口から排出されるようになっていた。
【０００５】
図５に基づき撹拌時の内容物の動きを説明すると、撹拌軸２を矢印Ｘ方向つまりｂ方向に回転すると、内容物は平板状撹拌羽根３により右方向ａ及び回転方向ｂに送られるようになっていた。また、内容物は三角状撹拌羽根４の傾斜面４ａにより回転方向ｂに送られると同時に、前記ａ方向と逆方向ｃに送られるようになっていた。従って、内容物は平板状撹拌羽根３と三角状撹拌羽根４との間を往復するから、十分に攪拌することができた。また、一方回転だけを続けても内容物が部分的に集中したり片寄ることがないので、全体に亘って均一となり、均一かつ充分な撹拌及び伝熱作用を得ることができた。
【０００６】
次に、図６に基づき排出時の内容物の動きを説明すると、撹拌軸２を矢印Ｙ方向つまりｄ方向に回転すると、内容物は平板状撹拌羽根３により左方向ｃ及び回転方向ｄに送られるようになっていた。また内容物は三角状撹拌羽根４の撹拌軸２と平行な面４ｂにより回転方向ｄに送られるだけであった。
従って、内容物は、平板状撹拌羽根３によりｃ方向に送られる。前記の説明は撹拌軸２の左右の略中央から右の場合を説明した。しかし、この実施の形態では、略中央から左側は右側とは撹拌羽根の向きが反対となっているので内容物は右方向ａへ送られる。
従って、内容物はケーシング１の略中央から矢印Ａに示すようにケーシング１の下部排出口から排出されるようになっていた。
【０００７】
但し、撹拌羽根の向きを全部図６の中央から左側の状態に配列すると、内容物は右端から排出され、中央から右側の状態に配列すると内容物は左端から排出されるようになっていた。
【０００８】
【発明が解決しようとする課題】
しかるに、前記従来の横型撹拌機は、排出時においては平板状撹拌羽根が軸方向への排出作用をするだけで三角状撹拌羽根にはその作用がなかったので排出量が少なく排出速度が遅いという欠点があった。
【０００９】
本発明は前述した事情に鑑みてなされたものであり、三角状撹拌羽根にも排出作用（横送り機能）をもたせることにより、従来より排出速度が速く、従来より大量ずつ排出可能な横型撹拌機を提供せんとするものである。
【００１０】
【課題を解決するための手段】
本発明の横型撹拌機は、横置きの円筒状のケーシングの軸心部に撹拌軸を回動自在に支持し、この撹拌軸の軸心と略垂直で対称な位置に前記ケーシングの内壁円周方向に延びるアームを立設し、このアームの先端に前記撹拌軸に対し傾斜面を有する平板状撹拌羽根と、第１の辺が前記平板状撹拌羽根と反対方向の傾斜面を有し、第２の辺が前記平板状撹拌羽根と同一の傾斜面を有し、第３の辺が撹拌軸に対し垂直面をそれぞれ有する三角状撹拌羽根とを取り付け、前記対称位置の平板状撹拌羽根と三角状撹拌羽根とを略９０度円周方向にずらした状態で所定の間隔で軸方向へ配設した構造である。
【００１１】
また、本発明の横型撹拌機の平板状撹拌羽根の傾斜面及び三角状撹拌羽根の第２の辺の傾斜面は、内容物の排出口に最も近い撹拌軸の部位から左右の方向へ、それぞれ反対の傾斜をなして、撹拌時と逆方向に回転した時に内容物を排出口方向に押し出すように配設されている。
【００１２】
また、内容物の排出口に最も近い撹拌軸の部位が撹拌軸の端部となる場合は、本発明の横型撹拌機の平板状撹拌羽根の傾斜面及び三角状撹拌羽根の第２の辺の傾斜面は、撹拌軸の一方端から他方端へ同一方向の傾斜をなして配設されている。
【００１３】
さらに、本発明の横型撹拌機の撹拌軸、平板状撹拌羽根及び三角状撹拌羽根のアームは内部に熱媒体が供給可能に構成されている。
【００１４】
【発明の実施の形態】
以下添付図に基づいて本発明の実施の形態を説明する。
図１は本発明の一実施の形態を示す横型撹拌機の撹拌羽根の取付位置を示す展開図、図２は本発明の一実施の形態を示す三角状羽根の図で（ａ）は側面を（ｂ）は平面を示し、図３は本発明の一実施の形態を示す撹拌時及び排出時における作用説明図である。
【００１５】
本発明の横型撹拌機の全体構造は、従来と同じく、横置きの円筒状のケーシング１（図２）の軸心部に撹拌軸２（図２）がケーシング１または図示しないフレームの軸受に回動自在に支持されたものである。
撹拌軸２には平板状撹拌羽根１３と三角状撹拌羽根１４とが所定の間隔で立設されている（この構造も従来例と同じである）。本発明の構成で従来例と相違する部分は、三角状撹拌羽根１４の形状であって、従来の三角状撹拌羽根４は第２の辺が撹拌軸２に対して平行な平行面４ｂで形成されているが、本発明の三角状撹拌羽根１４は第２の辺が平板状撹拌羽根１３の傾斜面１３ａと同一の傾斜の傾斜面１４ｂで形成されていることである。
【００１６】
第１の辺１４ａは従来例と同じく平板状撹拌羽根１３と反対方向の傾斜面１４ａを有し、第３の辺も従来例と同じく撹拌軸２に対し垂直面１４ｃを有している。
三角状撹拌羽根１４は三辺の前記条件を満足させるため本実施の態様では正角形に形成され、第１の辺の傾斜面１４ａは撹拌軸２の軸心に対しθ＝３０度でアーム１６に取り付けられている。
そして、平板状撹拌羽根１３も撹拌軸２の軸心に対する傾斜が３０度でアーム１５に取り付けられている。
但し、三角状撹拌羽根１３の第３の辺が垂直面であれば第１の辺と第２の辺は３０度以外の角度にすることもできるし、平板状撹拌羽根１３の傾斜面も３０度以外の角度にすることもできる。
【００１７】
本実施の態様においては、図１に示すように、平板状撹拌羽根１３と三角状撹拌羽根１４の一対が撹拌軸２の軸心と略垂直で対称な位置に取り付けられ、かつ、略９０度円周方向にずらした状態で所定の間隔で軸方向へ配設されている。
但し、本実施の態様のように撹拌羽根を同一円周に一対配設せず、３個以上配設し、これを順次隣の撹拌羽根間にずらした状態で所定の間隔で配設してもよい。
【００１８】
図１は排出時にケーシング１の略中央から矢印Ａに示すように内容物が排出されるように、撹拌軸２の略中央から左右の撹拌羽根の向きが反対になった例であるが、撹拌羽根の向きを同方向とし、ケーシング１の左端または右端から排出されるよう構成しても良い。
【００１９】
図３に基づいて撹拌羽根の作用を説明すると、撹拌時には、Ｘ方向に撹拌軸２を回転させると、左側の撹拌羽根１３，１４は実線矢印で示すように内容物を回転方向ｂと、左右方向ｃ，ａへ押しやる。同様に右側の撹拌羽根１３，１４は内容物を回転方向ｂと、左右方向ｃ，ａに押しやる。従って、内容物の送りは相殺され、内容物は略同じ円弧上（ピッチ）で左右に揺動されて攪拌される。
【００２０】
次に、排出時には、Ｙ方向に撹拌軸２を回転させると、左側の撹拌羽根１３，１４は破線矢印で示すように内容物を回転方向ｄと、右方向ａへ押しやる。同様に右側の撹拌羽根１３，１４は内容物を回転方向ｄと、左方向ｃへ押しやる。従って内容部は中央部方向へ送られ中央部から破線Ａで示すように外方へ排出され、下部の排出口から排出される。
【００２１】
【発明の効果】
以上詳細に説明したように本発明によると、下記のような効果を奏するものである。
(1) 従来の横型撹拌機では、排出時に内容物を、軸方向に送る作用は、平板状撹拌羽根にしかないが、本発明では、平板状撹拌羽根だけでなく三角状撹拌羽根も内容物を軸方向に送る作用があるので、単位時間当りの排出量が増加するので、能率が向上する（請求項１，２及び３）。
【００２２】
(2) ケーシングのジャケットだけでなくアーム内部にも熱媒体を通すことができるので、内容物の乾燥能力が向上する（請求項４）。
【図面の簡単な説明】
【図１】本発明の一実施の形態を示す横型撹拌機の撹拌羽根の取付位置を示す展開図である。
【図２】本発明の一実施の形態を示す三角状羽根の図で、（ａ）は側面を（ｂ）は平面を示す。
【図３】本発明の一実施の形態を示す撹拌時及び排出時における撹拌羽根の作用説明図である。
【図４】従来の横型撹拌機の図で、（ａ）は平面を（ｂ）は側面を示す。
【図５】撹拌羽根の取付位置を示す展開図で、撹拌時の状態を示す。
【図６】撹拌羽根の取付位置を示す展開図で、排出時の状態を示す。
【符号の説明】
１  ケーシング
２  撹拌軸
１３  平板状撹拌羽根
１４  三角状撹拌羽根
１４ａ  傾斜面（第１の辺）
１４ｂ  傾斜面（第２の辺）
１４ｃ  垂直面（第３の辺）
１５，１６  アーム
【図１】
0003783067.tif 000002
【図２】
0003783067.tif 000003
【図３】
0003783067.tif 000004
【図４】
0003783067.tif 000005
【図５】
0003783067.tif 000006
【図６】
0003783067.tif 000007